(57)【特許請求の範囲】
【請求項１】
溶接電流発生回路と溶接電流を制御する制御信号発生回路を備え、この制御信号発生回路に連接したＡＣ電源用コンセントを備えたエンジン駆動溶接機（Ａ）と、
一端に前記エンジン駆動溶接機に備えた制御信号発生回路に連接したＡＣ電源用コンセントに接続されるＡＣ電源用プラグを備え、他端にＡＣ電源用コンセントを備えたＡＣ電源延長コード（Ｂ）と、
前記ＡＣ電源延長コードの他端のＡＣ電源用コンセントに接続されるＡＣ電源用プラグと、ＡＣ電源延長コードを介して前記エンジン駆動溶接機に備えた制御信号発生回路に接続される制御信号調整手段を備えた制御信号調整器（Ｃ）と、
によりなることを特徴とするエンジン駆動溶接機の遠隔制御装置。
【請求項２】
溶接電流発生回路と、ＡＣ電源発電機と、このＡＣ電源発電機からの交流成分に重畳された溶接電流を制御する制御信号と前記交流成分とを分離して取り出された当該制御信号を発生する制御信号発生回路とを備え、この制御信号発生回路と前記ＡＣ電源発電機とに連接したＡＣ電源用コンセントを備えたエンジン駆動溶接機（Ａ）と、
一端に前記エンジン駆動溶接機に備えた制御信号発生回路と前記ＡＣ電源発電機とに連接したＡＣ電源用コンセントに接続されるＡＣ電源用プラグを備え、他端にＡＣ電源用コンセントを備えた電源延長コード（Ｂ）と、
前記ＡＣ電源延長コードの他端のＡＣ電源用コンセントに接続されるＡＣ電源用プラグと、ＡＣ電源延長コードを介して前記エンジン駆動溶接機に備えた制御信号発生回路に接続される制御信号調整手段を備えた制御信号調整器（Ｃ）とによりなることを特徴とするエンジン駆動溶接機の遠隔制御装置。
【請求項３】
溶接電流発生回路と溶接電流を制御する制御信号発生回路と、この制御信号発生回路に連接したＡＣ電源用コンセントと、を有するエンジン駆動溶接機（Ａ）と、
前記エンジン駆動溶接機に備えた制御信号発生回路に連接したＡＣ電源用コンセントに接続されるＡＣ電源用プラグを有するＡＣ電源延長コードと、を備え、
前記ＡＣ電源延長コードは、前記エンジン駆動溶接機に備えた制御信号発生回路に連接されて制御信号を調整する制御信号調整手段を備えたことを特徴とするエンジン駆動溶接機の遠隔制御装置。
【請求項４】
溶接電流発生回路と、ＡＣ電源発電機と、このＡＣ電源発電機からの交流成分に重畳された溶接電流を制御する制御信号と前記交流成分とを分離して当該制御信号を取り出して発生する制御信号発生回路とを備え、この制御信号発生回路と前記ＡＣ電源発電機とに連接したＡＣ電源用コンセントを備えたエンジン駆動溶接機（Ａ）と、
前記エンジン駆動溶接機に備えた制御信号発生回路に連接したＡＣ電源用コンセントに接続されるＡＣ電源用プラグを有するＡＣ電源延長コードと、を備え、
前記ＡＣ電源延長コードは、前記エンジン駆動溶接機に備えた制御信号発生回路に連接されて制御信号を調整する制御信号調整手段を備えたことを特徴とするエンジン駆動溶接機の遠隔制御装置。
【発明の詳細な説明】
【０００１】
【発明の属する技術分野】
本発明は、溶接電流発生回路と溶接電流を制御する制御信号発生回路を備え、この制御信号発生回路に、ＡＣ電源延長コードを介して溶接電流を制御する制御信号調整手段を接続して、溶接電流を遠隔制御するようにしたエンジン駆動溶接機の遠隔制御装置に関するものである。
【０００２】
【従来の技術】
エンジン駆動溶接機には、被溶接物いわゆるワークに応じて溶接電流を制御する制御信号調整手段が備えられている。
また、エンジン駆動溶接機と溶接作業現場とが離れていることが多く、この場合には、溶接作業者の手元で簡単に、溶接電流を制御する制御信号発生回路の制御信号を調整する制御信号調整手段を備えた遠隔制御信号調整器が必要となり、この遠隔制御信号調整器は、制御信号を前記制御信号発生回路に伝送するために、専用ケーブルを介してエンジン駆動溶接機に接続されている。
【０００３】
【発明が解決しようとする課題】
しかし、このような専用ケーブルを使用すると、溶接作業現場において、エンジン駆動溶接機と溶接作業者との距離に合わせて、途中で延長できる専用のコネクタ（接続器）を備えた予備の専用ケーブルも必要になり、また、専用ケーブル自体が非常に高価なものとなっていた。また、長い専用ケーブルを持ち運ぶのは非常に煩わしく、可搬性にも欠けていた。さらに、長い専用ケーブルを渦巻き状で放置したり、数多く屈曲すると、しばしばこの専用ケーブルが断線することがあったが、専用ケーブルのために代わりの専用ケーブルに取り換えるのに即時に対応ができず、溶接作業が中断されてしまい、溶接作業の工期が遅延していた。
本発明は、このような問題を解決するために、専用ケーブルを使用しないで、通常のＡＣ電源延長コードを使用することができるようにしたエンジン駆動溶接機の遠隔制御装置を提供することを目的とするものである。
【０００４】
【課題を解決するための手段】
前記目的を達成するために、請求項１に係る発明は、溶接電流発生回路１と溶接電流を制御する制御信号発生回路２を備え、この制御信号発生回路２に連接したＡＣ電源用コンセント２ａを備えたエンジン駆動溶接機（Ａ）と、一端に前記エンジン駆動溶接機（Ａ）に備えた制御信号発生回路２に連接したＡＣ電源用コンセント２ａに接続されるＡＣ電源用プラグ３ａを備え、他端にＡＣ電源用コンセント３ｂを備えたＡＣ電源延長コード（Ｂ）と、このＡＣ電源延長コード（Ｂ）の他端のＡＣ電源用コンセント３ｂに接続されるＡＣ電源用プラグ４ａと、前記ＡＣ電源延長コード（Ｂ）を介して前記エンジン駆動溶接機（Ａ）に備えた制御信号発生回路２に接続される制御信号調整手段を備えた制御信号調整器（Ｃ）とによりなることを特徴とするエンジン駆動溶接機の遠隔制御装置としたものである。
このようにしたので、専用ケーブルが必要なくなり、通常のＡＣ電源延長ケーブルが使用できるので、それが安価であるため断線しても代わりのＡＣ電源延長ケーブルに即時に取り換えることができる。
【０００５】
また、請求項２に係る発明は、溶接電流発生回路と、ＡＣ電源発電機と、このＡＣ電源発電機からの交流成分に重畳された溶接電流を制御する制御信号と前記交流成分とを分離して取り出された当該制御信号を発生する制御信号発生回路とを備え、この制御信号発生回路と前記ＡＣ電源発電機とに連接したＡＣ電源用コンセントを備えたエンジン駆動溶接機（Ａ）と、一端に前記エンジン駆動溶接機に備えた制御信号発生回路と前記ＡＣ電源発電機とに連接したＡＣ電源用コンセントに接続されるＡＣ電源用プラグを備え、他端にＡＣ電源用コンセントを備えた電源延長コード（Ｂ）と、前記ＡＣ電源延長コードの他端のＡＣ電源用コンセントに接続されるＡＣ電源用プラグと、ＡＣ電源延長コードを介して前記エンジン駆動溶接機に備えた制御信号発生回路に接続される制御信号調整手段を備えた制御信号調整器（Ｃ）とによりなることを特徴とするエンジン駆動溶接機の遠隔制御装置としたものである。
このようにしたので、前記ＡＣ電源延長コード（Ｂ）の一端に設けたＡＣ電源プラグ３ａを、エンジン駆動溶接機（Ａ）に備えた制御信号発生回路２およびＡＣ電源発電機１′に連接したＡＣ電源用コンセント２ａに接続し、ＡＣ電源延長コード（Ｂ）の他端に設けたＡＣ電源用コンセント３ｂに、前記制御信号調整器（Ｃ）に備えたＡＣ電源プラグ４ａを接続し、この制御信号調整器（Ｃ）に備えた制御信号調整手段を調整することにより、溶接電流の制御信号を調整することができる。
また、ＡＣ電源延長コード（Ｂ）の他端に設けたＡＣ電源用コンセント３ｂに、ＡＣ電源で作動する電動工具を接続して、それを作動させることができる。
【０００６】
このように、通常のＡＣ電源延長コード（Ｂ）を使用するようにしたので、溶接作業現場に合わせて途中で容易にＡＣ電源延長コード（Ｂ）を延長することができ、また、ＡＣ電源延長コード（Ｂ）は価格も安く、断線した場合でも即時に代わりのＡＣ電源延長コード（Ｂ）に換えることができ、さらに、長いＡＣ電源延長コード（Ｂ）の場合には、このＡＣ電源延長コードをリール３ｃに巻き取ることにより、持ち運びが便利であり、また、過度に折り曲げることがないので、断線のおそれもなくなる。
【０００７】
また、請求項３に係る発明は、溶接電流発生回路と溶接電流を制御する制御信号発生回路と、この制御信号発生回路に連接したＡＣ電源用コンセントと、を有するエンジン駆動溶接機（Ａ）と、前記エンジン駆動溶接機に備えた制御信号発生回路に連接したＡＣ電源用コンセントに接続されるＡＣ電源用プラグを有するＡＣ電源延長コードと、を備え、
前記ＡＣ電源延長コードは、前記エンジン駆動溶接機に備えた制御信号発生回路に連接されて制御信号を調整する制御信号調整手段を備えたことを特徴とするエンジン駆動溶接機の遠隔制御装置としたものである。
また、請求項４に係る発明は、溶接電流発生回路と、ＡＣ電源発電機と、このＡＣ電源発電機からの交流成分に重畳された溶接電流を制御する制御信号と前記交流成分とを分離して当該制御信号を取り出して発生する制御信号発生回路とを備え、この制御信号発生回路と前記ＡＣ電源発電機とに連接したＡＣ電源用コンセントを備えたエンジン駆動溶接機（Ａ）と、
前記エンジン駆動溶接機に備えた制御信号発生回路に連接したＡＣ電源用コンセントに接続されるＡＣ電源用プラグを有するＡＣ電源延長コードと、を備え、
前記ＡＣ電源延長コードは、前記エンジン駆動溶接機に備えた制御信号発生回路に連接されて制御信号を調整する制御信号調整手段を備えたことを特徴とするエンジン駆動溶接機の遠隔制御装置
このようにしたので、請求項３および請求項４に係る発明は、前記ＡＣ電源延長コード（Ｂ）の他端に設けたＡＣ電源用コンセント３ｂに、前記制御信号調整器（Ｃ）をわざわざ接続しなくてもよくなる。
【０００８】
【発明の実施の形態】
以下、本発明に係るエンジン駆動溶接機の遠隔制御装置の実施の形態を、図面を参照して詳細に説明する。
図１は本発明の第１の実施の形態すなわち請求項１に係る発明の実施の形態を示す図であり、この発明は、溶接電流発生回路１と溶接電流を制御する制御信号発生回路２とを備え、この制御信号発生回路２に連接した通常のＡＣ電源用コンセント２ａを備えたエンジン駆動溶接機（Ａ）と、一端に前記エンジン駆動溶接機（Ａ）に備えた制御信号発生回路２に連接したＡＣ電源用コンセント２ａに接続される通常のＡＣ電源用プラグ３ａを備え、他端に通常のＡＣ電源用コンセント３ｂを備えたＡＣ電源延長コード（Ｂ）と、このＡＣ電源延長コード（Ｂ）の他端のＡＣ電源用コンセント３ｂに接続される通常のＡＣ電源用プラグ４ａと、ＡＣ電源延長コード（Ｂ）を介して前記エンジン駆動溶接機（Ａ）に備えた制御信号発生回路２に接続される制御信号調整手段を備えた制御信号調整器（Ｃ）とによりなることを特徴とするエンジン駆動溶接機の遠隔制御装置としたものである。
【０００９】
前記溶接電流発生回路１は、エンジンで駆動される三相交流発電機１ａと、この三相交流発電機１ａで発電された交流を整流するダイオードとサイリスタとを組み合わせた整流回路１ｂと、前記制御信号発生回路２からの制御信号が入力される、Ａ／Ｄ変換回路１ｃと出力ポート１ｄと入力ポート１ｅとを備えたシングルチップマイコン１ｆと、前記入力ポート１ｅと三相交流発電機１ａの出力端との間に接続されたゼロ点検出回路１ｇと、前記出力ポート１ｄとサイリスタのゲートとの間に接続されてサイリスタに流れる電流の流通角を調整するフォトサイリスタカプラ１ｈとにより形成されている。そして、この溶接電流発生回路１の＋出力端子に母材５が接続され、−出力端子に溶接棒６が接続されている。
【００１０】
前記制御信号発生回路２は、制御電源７の＋５Ｖに接続された抵抗Ｒａが前記Ａ／Ｄ変換回路１ｃの一方の入力端と前記通常のＡＣ電源用コンセント２ａの一端に接続され、ＡＣ電源用コンセント２ａの他端は制御電源７のアースＥ電極に接続されている。また、制御電源７の＋５ＶとアースＥとの間に抵抗Ｒｂと抵抗Ｒｃと可変抵抗器ＶＲａとが直列に接続され、抵抗Ｒｂと抵抗Ｒｃとの接続点が前記Ａ／Ｄ変換回路１ｃの他方の入力端に接続されて形成されている。
【００１１】
前記ＡＣ電源延長コード（Ｂ）は、（ａ）図に示すような通常のＡＣ電源延長コードでもよく、また、（ｂ）図に示すように、リール３ｃにＡＣ電源延長コードを巻き取ったものでもよい。この場合はリール３ｃにＡＣ電源用コンセント３ｂが設けられている。
【００１２】
前記ＡＣ電源延長コード（Ｂ）を介してエンジン駆動溶接機（Ａ）に備えた制御信号発生回路２に接続される制御信号調整手段を備えた制御信号調整器（Ｃ）は、抵抗Ｒｄと可変抵抗器ＶＲｂとの直列回路に並列にネオンランプＮＬが接続され、その接続点に通常のＡＣ電源用プラグ４ａが接続されて形成されている。
【００１３】
次に、この第１の実施の形態の動作を説明する。前記エンジン駆動溶接機（Ａ）に備えた制御信号発生回路２に連接したＡＣ電源用コンセント２ａに前記ＡＣ電源延長コード（Ｂ）を接続し、このＡＣ電源延長コード（Ｂ）のＡＣ電源用コンセント３ｂに、制御信号調整器（Ｃ）のＡＣ電源用プラグ４ａを接続すると、前記Ａ／Ｄ変換回路１ｃの一方の入力端とアースＥ間の電圧Ｖａは５Ｖ未満となる。
【００１４】
次に、制御信号調整器（Ｃ）の制御信号調整手段である可変抵抗器ＶＲｂを調整すると、その値によって前記電圧Ｖａは、５×（Ｒｄ／（Ｒａ＋Ｒｄ））Ｖから５×（Ｒｄ＋ＶＲｂ／（Ｒａ＋Ｒｄ＋ＶＲｂ））Ｖまで変化する。溶接電流はこの可変抵抗器ＶＲｂを調整することによって調整制御する。なお、抵抗Ｒｄは制御信号調整器（Ｃ）のＡＣ電源用プラグ４ａを誤ってＡＣ１００Ｖに接続したとき、可変抵抗器ＶＲｂが過電流で破損しないようにするための過電流制限抵抗である。さらに、前記ネオンランプＮＬはＡＣ１００Ｖが印加された場合に点灯する。
【００１５】
前記シングルチップマイコン１ｆは、電圧Ｖａが５Ｖの時、つまり、制御信号調整器（Ｃ）が接続されていない時は、前記エンジン駆動溶接機Ａに備えた制御信号発生回路２の可変抵抗器ＶＲａの調整によって変化する電圧Ｖｂに従って溶接電流の制御を行うことができる。また、このシングルチップマイコン１ｆは、前記電圧Ｖａ，Ｖｂの大小によって前記出力ポート１ｄからフォトサイリスタカプラ１ｈを介して、前記整流回路１ｂのサイリスタをオンするタイミング（ゼロクロスからの時間）を変える信号がサイリスタのゲートに印加される。このサイリスタをオンするタイミングを変えることにより、溶接出力電圧が変化し、最終的に溶接電流が変化する。
なお、抵抗Ｒａ＝Ｒｂ、Ｒｄ＝Ｒｃとして、前記シングルチップマイコン１ｆの制御に関する簡略化を図ることもできる。
【００１６】
図２は本発明の第２の実施の形態すなわち請求項２に係る発明の実施の形態を示す図であり、この発明は、溶接電流発生回路１とＡＣ電源発電機１′と溶接電流を制御する制御信号をＡＣ電源の周波数と分離して発生する制御信号発生回路２とを備え、この制御信号発生回路２と前記ＡＣ電源発電機１′とに連接した通常のＡＣ電源用コンセント２ａを備えたエンジン駆動溶接機（Ａ）と、一端に前記エンジン駆動溶接機（Ａ）に備えた制御信号発生回路２とＡＣ電源発電機１′とに連接したＡＣ電源用コンセント２ａに接続される通常のＡＣ電源用プラグ３ａを備え、他端に通常のＡＣ電源用コンセント３ｂを備えた電源延長コード（Ｂ）と、このＡＣ電源延長コード（Ｂ）の他端のＡＣ電源用コンセント３ｂに接続される通常のＡＣ電源用プラグ４ａと、ＡＣ電源延長コード（Ｂ）を介して前記エンジン駆動溶接機（Ａ）に備えた制御信号発生回路２に接続される制御信号調整手段を備えた制御信号調整器（Ｃ）とによりなることを特徴とするエンジン駆動溶接機の遠隔制御装置としたものである。
【００１７】
この実施の形態における溶接電流発生回路１は、エンジンで駆動される三相交流発電機１ａと単相発電機すなわちＡＣ電源発電機１′とを備えている点が前記第１の実施の形態と相違する。
【００１８】
前記制御信号発生回路２は次のように構成されている。すなわち、通常のＡＣ電源用コンセント２ａには、後述する制御信号調整器（Ｃ）から溶接電流を制御する制御信号がシリアルに伝送される遠隔制御信号を印加すると共に、前記ＡＣ電源発電機１′からのＡＣ１００Ｖも印加されるようになっている。このＡＣ電源用コンセント２ａに印加された制御信号とＡＣ１００ＶがコンデンサＣを介して印加される第１のパルストランス回路２ｂと、このパルストランス回路２ｂから得られた制御信号に重畳された５０Ｈｚ、６０Ｈｚの交流成分を除去するためのハイパスフィルタ２ｃと、高周波ノイズを除去するためのローパスフィルタ２ｄと、増幅器２ｅと、比較器２ｆとにとって波形整形回路が形成されている。この波形整形回路で整形された制御信号が、シリアル信号をパラレル信号に変換するクロック同期式シリアル受信回路２ｇとデジタル信号をアナログ信号に変換するボリューム値Ｄ／Ａ変換回路２ｈを介して切換器２ｉの固定接点ａ側に印加されるように回路形成されている。また、切換器２ｉの固定接点ｂ側とアースＥとの間に可変抵抗器ＶＲａが接続され、切換器２ｉの固定接点ｂ側と＋５Ｖとの間に抵抗Ｒｅが接続されている。
【００１９】
ＡＣ電源延長コード（Ｂ）は、前記第１の実施の形態のものとほとんど同じであるが、この第２の実施の形態のものは通常のＡＣ電源用コンセント３ｂが２個以上設けられている。
【００２０】
前記制御信号調整器（Ｃ）は次のように形成されている。すなわち、＋５Ｖに接続された抵抗Ｒｆと制御信号調整手段である第２の可変抵抗器ＶＲｂが、この可変抵抗器ＶＲｂで調整された制御信号であるアナログ信号をデジタル信号に変換するボリューム値Ａ／Ｄ変換回路４ｂに接続され、このボリューム値Ａ／Ｄ変換回路４ｂがパラレル信号をシリアル信号に変換するクロック同期式シリアル送信回路４ｃに接続され、このクロック同期式シリアル送信回路４ｃがＡＣ１００Ｖ電源ラインに前記シリアル信号を重畳するための第２のパルストランス回路４ｄに接続され、このパルストランス回路４ｄが通常のＡＣ電源用プラグ４ａに接続され、さらに、このＡＣ電源用プラグ４ａに前記各回路に印加する直流電源を得るＡＣ／ＤＣコンバータ４ｅが接続されて、前記制御信号調整器（Ｃ）が形成されている。
【００２１】
次に、この第２の実施の形態の動作を説明する。まず、溶接電流の遠隔制御を行なう場合は、前記エンジン駆動溶接機（Ａ）に備えた切換器２ｉの可動接点を固定接点ａ側に切り換える。次に、前記制御信号調整器（Ｃ）の可変抵抗器ＶＲｂを調整して得た制御信号であるアナログ信号をボリューム値Ａ／Ｄ変換回路４ｂでデジタル信号に変換し、これをクロック同期式シリアル送信回路４ｃに入力する。このクロック同期式シリアル送信回路４ｃでは、前記ボリューム値Ａ／Ｄ変換回路４ｂよりのパラレル信号をシリアル信号に変換し、パルストランス回路４ｄに入力する。このパルストランス回路４ｄでは前記変換されたシリアル信号をＡＣ１００Ｖ電源に重畳させる。
【００２２】
このＡＣ１００Ｖ電源に重畳された制御信号であるシリアル信号は、ＡＣ電源延長コード（Ｂ）を介して前記エンジン駆動溶接機（Ａ）に備えた制御信号発生回路２に伝送される。このシリアル信号は波形整形回路を形成するハイパスフィルタ２ｃにより５０Ｈｚ、６０Ｈｚの交流成分を除去し、さらに、ローパスフィルタ２ｄにより高周波ノイズを除去した後に、増幅器２ｅと比較器２ｆを経て波形整形された０Ｖあるいは５Ｖのシリアル信号となる。この波形整形されたシリアル信号をクロック同期式シリアル受信回路２ｇに入力することで、制御信号はパラレル信号に変換される。このパラレル信号となったデジタル信号を、前記ボリューム値Ｄ／Ａ変換回路２ｈでアナログ信号に変換し、さらに、切換器２ｉを介して、前記シングルチップマイコン１ｆに入力させる。
【００２３】
溶接電流を遠隔制御しない場合には、前記切換器２ｉを固定接点ｂが側に切り換え、制御信号調整手段である可変抵抗器ＶＲａを調整する。
【００２４】
図３は本発明の第３の実施の形態すなわち請求項３に係る発明の実施の形態を示す図であり、この発明は、図３の（ａ）に示すように、前記電源延長コード（Ｂ）は、一端に前記エンジン駆動溶接機（Ａ）に備えた制御信号発生回路２に連接したＡＣ電源用コンセント２ａに接続される通常のＡＣ電源用プラグ３ａを備え、他端に通常のＡＣ電源用コンセント３ｂと、前記エンジン駆動溶接機（Ａ）に備えた制御信号発生回路２に連接されて制御信号を調整する制御信号調整手段３ｄとを備えたことを特徴とする請求項１または請求項２に記載のエンジン駆動溶接機の遠隔制御装置としたものである。図３の（ｂ）は、電源延長コードをリール３ｃに巻き取るようにした実施の形態を示したものであり、この場合は前記制御信号調整手段３ｄをリール３ｃに設ける。
このようにすることにより、ＡＣ電源延長コードの他端に設けたＡＣ電源用コンセントに、前記制御信号調整器をわざわざ接続しなくてもよくなる。
【００２５】
【発明の効果】
以上に説明したように、請求項１に係る発明は、前記のように構成したので、専用ケーブルが必要なくなり、通常のＡＣ電源延長ケーブルが使用できるので、それが安価であるため断線しても代わりのＡＣ電源延長ケーブルに即時に取り換えることができる。
また、制御信号調整手段を備えた制御信号調整器を、通常のＡＣ電源延長ケーブルを介して、エンジン駆動溶接機に備えた制御信号発生回路に連接するだけで、溶接電流の調整を遠隔制御することができるので、作業効率が向上する。
【００２６】
また、請求項２に係る発明は、前記のように構成したので、ＡＣ電源延長コードの一端に設けたＡＣ電源プラグを、エンジン駆動溶接機に備えた制御信号発生回路およびにＡＣ電源発電機に連接したＡＣ電源用コンセントに接続し、ＡＣ電源延長コードの他端に設けたＡＣ電源用コンセントに、前記制御信号調整器に備えたＡＣ電源プラグを接続し、この制御信号調整器に備えた制御信号調整手段を調整することにより、溶接電流の制御信号を調整することができる。また、ＡＣ電源延長コードの他端に設けたＡＣ電源用コンセントに、ＡＣ電源で作動する電動工具を接続して、それを作動させることができる。
【００２７】
また、請求項３および請求項４に係る発明は、前記のように構成したので、前記ＡＣ電源延長コードの他端に設けたＡＣ電源用コンセントに、前記制御信号調整器をわざわざ接続しなくてもよくなる。
【図面の簡単な説明】
【図１】本発明の第１の実施の形態を示す図である。
【図２】本発明の第２の実施の形態を示す図である。
【図３】本発明の第３の実施の形態を示す図である。
【符号の説明】
Ａ      エンジン駆動溶接機
Ｂ      ＡＣ電源延長コード
Ｃ      制御信号調整器
１      溶接電流発生回路
１′    ＡＣ電源発電機
１ａ    三相交流発電機
１ｂ    整流回路
１ｃ    Ａ／Ｄ変換回路
１ｄ    出力ポート
１ｅ    入力ポート
１ｆ    シングルチップマイコン
１ｇ    ゼロ点検出回路
１ｈ    フォトサイリスタカプラ
２      制御信号発生回路
２ａ    ＡＣ電源用コンセント
２ｂ    パルストランス回路
２ｃ    ハイパスフィルタ
２ｄ    ローパスフィルタ
２ｅ    増幅器
２ｆ    比較器
２ｇ    クロック同期式シリアル受信回路
２ｈ    ボリューム値Ｄ／Ａ変換回路
２ｉ    切換器
３ａ    ＡＣ電源用プラグ
３ｂ    ＡＣ電源用コンセント
３ｃ    リール
３ｄ    制御信号調整手段
４ａ    ＡＣ電源用プラグ
４ｂ    ボリューム値Ａ／Ｄ変換回路
４ｃ    クロック同期式シリアル送信回路
４ｄ    パルストランス回路
４ｅ    ＡＣ／ＤＣコンバータ
５      母材
６      溶接棒
【図１】
0004529155.tif 000002
【図２】
0004529155.tif 000003
【図３】
0004529155.tif 000004